(57)【要約】【課題】長時間、歩いたり走ったりすることによる足の骨格のアーチ構造の機能の低下をより確実に抑制することができる靴下に滑り止め効果を持たせた靴下を提供する。【解決手段】本発明の靴下１では、足底部２０がＸ字型サポート部２４と前方三角領域部２２と後方三角領域部２６とを有し、足甲部２０がＸ字型サポート部２４のつま先部側を固定する第１固定部３４をつま先部側に有し、足甲部３０がＸ字型サポート部２４の踵部側を固定する第２固定部３８を足首部側に有し、および／または足首部５０がＸ字型サポート部２４の踵部側を固定する第３固定部５２を足甲部側に有し、Ｘ字型サポート部２４、第１固定部３４、第２固定部３８および第３固定部５２が高弾性材から構成され、靴下１の摩擦係数が高い領域６０および領域７０の摩擦係数は、他の領域の摩擦係数に比べて高い。【選択図】図１
2014019994.tif 000002
【特許請求の範囲】
【請求項１】
つま先部と、足底部と、足甲部と、踵部と、足首部とを備えた靴下であって、
前記足底部がＸ字型サポート部と、前記つま先部および前記Ｘ字型サポート部で囲まれた前方三角領域部と、前記Ｘ字型サポート部および前記踵部で囲まれた後方三角領域部とを有し、
前記足甲部が前記Ｘ字型サポート部のつま先部側を固定する第１固定部をつま先部側に有し、
前記足甲部が前記Ｘ字型サポート部の踵部側を固定する第２固定部を足首部側に有し、および／または前記足首部が前記Ｘ字型サポート部の踵部側を固定する第３固定部を足甲部側に有し、
前記Ｘ字型サポート部、前記第１固定部、前記第２固定部および前記第３固定部が高弾性材から構成され、
前記前方三角領域部、前記Ｘ字型サポート部の前方側部分の少なくとも一部および前記第１固定部からなる摩擦係数が高い領域の摩擦係数と、前記Ｘ字型サポート部の後方側部分の少なくとも一部、前記後方三角領域部および前記第２固定部からなる摩擦係数が高い領域の摩擦係数とは、他の領域の摩擦係数に比べて高い靴下。
【請求項２】
前記摩擦係数が高い領域を構成する糸は、摩擦係数の高い糸を含む請求項１に記載の靴下。
【請求項３】
前記摩擦係数の高い糸は、ウレタン糸である請求項２に記載の靴下。
【発明の詳細な説明】
【技術分野】
【０００１】
本発明は、足のアーチ構造の機能を保持する靴下に滑り止め効果を持たせた靴下に関する。
【背景技術】
【０００２】
図７（ａ）は人の右足の骨格を足の裏側から見た状態を示す図であり、図７（ｂ）は人の右足の骨格を内側（親指側）から見た状態を示す図である。人間の足の骨格５００は、第一中足骨５１０の種子骨５１２と踵骨５３０の踵骨隆起５３２とを結ぶ線５５２に沿って、内側縦アーチ構造Ｒ１を有し、第五中足骨５２０の種子骨５２２と踵骨５３０の踵骨隆起５３２とを結ぶ線５５４に沿って、外側縦アーチ構造Ｒ２を有し、第一中足骨５１０の種子骨５１２と第五中足骨５２０の種子骨５２２とを結ぶ線５５６に沿って、横アーチ構造Ｒ３を有する。これらの足の骨格のアーチ構造は、人が歩いているとき、または人が走っているときの着地したときの足への衝撃を吸収する。しかし、人が長時間、歩いたり走ったりすると、足の骨格のアーチ構造の機能が低下し、足への衝撃を吸収する骨格の能力が低下する場合がある。
【０００３】
このような足への衝撃を吸収する能力の低下を抑制するために、足の骨格のアーチ構造の機能を保持する靴下が従来技術と知られている（たとえば、特許文献１）。特許文献１に記載の靴下は、つま先部と、足底部と、足甲部と、踵部と、足首部とを備え、足底部はＸ字型サポート部を有し、足甲部はＸ字型サポート部のつま先部側を固定する第１固定部をつま先部側に有し、足甲部はＸ字型サポート部の踵部側を固定する第２固定部を足首部側に有し、足首部はＸ字型サポート部の踵部側を固定する第３固定部を足甲部側に有し、Ｘ字型サポート部、第１固定部、第２固定部および第３固定部は高弾性材から構成される。これにより、特許文献１に記載の靴下は、内側縦アーチ構造および外側縦アーチ構造のそれぞれに向けて引っ張り応力を作用させることができ、長時間、歩いたり走ったりすることによる足の骨格のアーチ構造の機能の低下を抑制することができる。
【先行技術文献】
【特許文献】
【０００４】
【特許文献１】特開２０１２−４６８３８号公報
【発明の概要】
【発明が解決しようとする課題】
【０００５】
長時間、歩いたり走ったりすることによる足の骨格のアーチ構造の機能の低下をさらに抑制できる靴下が望まれている。
【課題を解決するための手段】
【０００６】
本発明は、上記課題を解決するため、以下の構成を採用した。
すなわち、本発明は、つま先部１０と、足底部２０と、足甲部３０と、踵部４０と、足首部５０とを備えた靴下１であって、足底部２０がＸ字型サポート部２４と、つま先部１０およびＸ字型サポート部２４で囲まれた前方三角領域部２２と、Ｘ字型サポート部２４および踵部４０で囲まれた後方三角領域部２６とを有し、足甲部３０がＸ字型サポート部２４のつま先部１０側を固定する第１固定部３４をつま先部１０側に有し、足甲部３０がＸ字型サポート部２４の踵部４０側を固定する第２固定部３８を足首部５０側に有し、および／または足首５０部がＸ字型サポート部２４の踵部４０側を固定する第３固定部５２を足甲部３０側に有し、Ｘ字型サポート部２４、第１固定部３４、第２固定部３８および第３固定部５２が高弾性材から構成され、前方三角領域部２２、Ｘ字型サポート部２４の前方側部分の少なくとも一部および第１固定部３４からなる摩擦係数が高い領域６０の摩擦係数と、Ｘ字型サポート部２４の後方側部分の少なくとも一部、後方三角領域部２６および第２固定部３８からなる摩擦係数が高い領域７０の摩擦係数とは、他の領域の摩擦係数に比べて高い。
【発明の効果】
【０００７】
本発明によれば、長時間、歩いたり走ったりすることによる足の骨格のアーチ構造の機能の低下をより確実に抑制できる靴下を提供できる。
【図面の簡単な説明】
【０００８】
【図１】図１は、本発明の一実施形態の靴下を示す図である。
【図２】図２は、本発明の一実施形態の靴下におけるＸ字型サポート部の引っ張り応力を説明するための図である。
【図３】図３は、本発明の一実施形態の靴下における第１〜３固定部および踵後ろ部の引っ張り応力を説明するための図である。
【図４】図４は、本発明の一実施形態の靴下における前方および後方三角領域部を説明するための図である。
【図５】図５は、フットワークテストを説明するための図である。
【図６】図６は、スポーツテストの結果を示す図である。
【図７】図７は、足の骨格を説明するための図である。
【発明を実施するための形態】
【０００９】
図を参照して、本発明の一実施形態における靴下１を説明する。この靴下１は、ユーザが長時間歩いたり走ったりしても、足の骨格のアーチ構造の機能が低下することを抑制できる靴下に滑り止め効果を持たせることができる。
【００１０】
図１は、本発明の一実施形態の靴下を示す図である。図１（ａ）は、右足用の靴下を横方向から見た状態を示す図であり、図１（ｂ）は、靴下の足底を示した図である。本発明の一実施形態の靴下１は、つま先部１０、足底部２０、足甲部３０、踵部４０および足首部５０を備える。足底部２０は、前方三角領域部２２、Ｘ字型サポート部２４、後方三角領域部２６を有する。足甲部３０は、第１固定部３４、メッシュ部３６および第２固定部３８を有する。足首部５０は、第３固定部５２、踵後ろ部５４および口ゴム部５６を有する。
【００１１】
また、前方三角領域部２２、Ｘ字型サポート部２４の前方側部分の少なくとも一部および第１固定部３４からなる摩擦係数が高い領域６０の摩擦係数と、Ｘ字型サポート部２４の後方側部分の少なくとも一部、後方三角領域部２６および第２固定部３８からなる摩擦係数が高い領域７０の摩擦係数とは、他の領域の摩擦係数に比べて高い。ここで、摩擦係数とは、靴下と足の皮膚との間および靴下と靴の内側との間の摩擦係数である。
【００１２】
ここで、足のつま先方向を足の前方とし、足の踵方向を足の後方とする。また、足の親指側を足の内側とし、足の小指側を足の外側とする。
【００１３】
つま先部１０は、つま先を覆う袋状の、靴下１の構成部分である。
【００１４】
Ｘ字型サポート部２４は、足の底の親指のつけ根に対応する部分から踵の外側に対応する部分へ延びるＸ字型サポート部構成要素２４ａと、小指のつけ根に対応する部分から踵の内側に対応する部分へ伸びるＸ字型サポート部構成要素２４ｂと、Ｘ字型サポート部構成要素２４ａおよびＸ字型サポート部構成要素２４ｂが重なるＸ字型サポート部構成要素２４ｃからなる。Ｘ字型サポート部２４は、足の底側から見るとＸ字状に見える。前方三角領域部２２は、つま先部１０とＸ字型サポート部２４とで囲まれた、靴下１の構成部分であり、前方に辺を有し後方に頂角を有する略三角形の形状を有する。後方三角領域部２６は、Ｘ字型サポート部２４と踵部４０とで囲まれた、靴下１の構成部分であり、前方に頂角を有し後方に辺を有する略三角形の形状を有する。
【００１５】
踵部４０は、少なくとも踵の下側を覆う、靴下１の構成部分である。
【００１６】
第１固定部３４は、親指のつけ根に対応する部分から足の甲側を通って小指のつけ根に対応する部分に延びる、靴下１の構成部分である。第１固定部３４は、Ｘ字型サポート部２４の親指のつけ根に対応する部分および小指のつけ根に対応する部分と連結し、Ｘ字型サポート部２４のつま先部１０側の部分を足に固定する。メッシュ部３６は、第１固定部３４と第２固定部３８とＸ字型サポート部２４とに囲まれた、足の甲の部分および足の裏の部分を覆う、靴下１の構成部分である。第２固定部３８は、足の甲の部分のうち、足首に近接する足の甲の後部を覆う、靴下１の構成部分である。第２固定部３８は、Ｘ字型サポート部２４の踵の内側に対応する部分および踵の外側に対応する部分と連結し、Ｘ字型サポート部２４の踵部４０側の部分を足に固定する。
【００１７】
第３固定部５２は、足首の前方のうち、足の甲に近接する部分を覆う、靴下１の構成部分である。踵後ろ部５４が、アキレス腱の下の踵の後ろを少なくとも覆う、靴下１の構成部分である。第３固定部５２および踵後ろ部５４で、足首の踵部４０側の外周は覆われる。第３固定部５２および踵後ろ部５４は、Ｘ字型サポート部２４の踵の内側に対応する部分および踵の外側に対応する部分と連結し、Ｘ字型サポート部２４の踵部４０側の部分を足に固定する。口ゴム部５６は、足首を覆う筒状の、靴下１の構成部分である。
【００１８】
次に、靴下１の各構成部分の弾性率について説明する。靴下１では、Ｘ字型サポート部２４、第１固定部３４、第２固定部３８、第３固定部５２および踵後ろ部５４の弾性率は、つま先部１０、前方三角領域部２２、後方三角領域部２６、踵部４０、メッシュ部３６および口ゴム部５６の弾性率よりも高い。さらに、前方三角領域部２２および後方三角領域部２６の弾性率は、つま先部１０、踵部４０、メッシュ部３６および口ゴム部５６の弾性率よりも高い。
【００１９】
Ｘ字型サポート部２４、第１固定部３４、第２固定部３８、第３固定部５２および踵後ろ部５４には、それぞれの構成部分の弾性率を高める編み組織および素材を有する高弾性材が使用される。高弾性材の編み組織は、たとえば、弾性糸が挿入されたタック編み（引き上げ編み）である。高弾性材のグランド（地）糸には、たとえば、表側ではナイロンおよびポリエステルが使用され、裏側ではポリエステルが使用されている。弾性糸にはポリウレタンが使用されている。
【００２０】
なお、高弾性材の編み組織は、靴下１の構成部分の弾性率を高める編み組織であれば、とくに限定されないが、たとえば、弾性糸が挿入された浮き編みでもよいし、弾性糸が挿入されたタック編みと浮き編みとの混合でもよい。また、高弾性材の素材としては、弾性率の高い繊維であればとくに限定されないが、ナイロンやポリエステルのほかに弾性率の高いポリ塩化ビニル、ポリプロピレンなどを使用してもよい。また、編み組織が他の構成部分と同じであっても、他の構成部分に比べて、弾性糸の構成比率を高くする、弾性糸の繊度を太くする、弾性率の高い素材の弾性糸を使用する、樹脂をコーティングする、生地を張り合わせるなどして、高弾性材を形成してもよい。また、編み組織が他の構成部分と同じであっても、編みこむ糸を増やし、編み密度を高くする、度目などを詰め、編み密度を高くするなどして、高弾性材を形成してもよい。
【００２１】
Ｘ字型サポート部２４、第１固定部３４、第２固定部３８、第３固定部５２および踵後ろ部５４のそれぞれの高弾性材は、それぞれ同じものであってもよいし、異なったものでもよい。
【００２２】
前方三角領域部２２および後方三角領域部２６の編み組織は、弾性糸が挿入されたタック編み（引き上げ編み）であり、前方三角領域部２２および後方三角領域部２６にはボス柄が形成されている。グランド糸には、ポリエステルが使用されており、弾性糸にはポリウレタンが使用されている。前方三角領域部２２および後方三角領域部２６のタック編みにおける弾性糸の挿入量を、Ｘ字型サポート部２４、第１固定部３４、第２固定部３８、第３固定部５２および踵後ろ部５４のタック編みにおける弾性糸の挿入量に比べて減らすことによって、Ｘ字型サポート部２４、第１固定部３４、第２固定部３８、第３固定部５２および踵後ろ部５４の弾性率よりも前方三角領域部２２および後方三角領域部２６の弾性率を小さくする。
【００２３】
つま先部１０および踵部４０の編み組織は、パイル編みであり、表側のグランド糸の素材はナイロンであり、裏側のグランド糸の素材は、ポリウレタン繊維にポリエステル繊維をカバーリングしたＦＴＹ（フィラメントツイスティドヤーン）である。このような編み組織および素材を選択することによって、つま先部１０および踵部４０の伸縮性は高められ、靴下１のつま先部１０および踵部４０をユーザの足のつま先および踵にフィットさせることができる。
【００２４】
メッシュ部３６の編み組織は、メッシュ編みであり、表側のグランド糸の素材はポリエステルであり、裏側のグランド糸の素材は、ポリエステルおよびポリウレタンである。メッシュ部３６の編み組織をメッシュ編みにすることによって、足の甲および足の裏の通気性がよくなり、足ムレを防止することができる。また、このような編み組織および素材を選択することによって、メッシュ部３６の伸縮性は高められ、靴下１のメッシュ部３６をユーザの足の甲にフィットさせることができる。
【００２５】
口ゴム部５６の編み組織はゴム編み（リブ編み）であり、表側のグランド糸の素材はポリエステルであり、裏側のグランド糸の素材は、ポリエステルおよびポリウレタンである。このような編み組織および素材を選択することによって、口ゴム部５６のズレ落ちを防止することができる。
【００２６】
以上のような構成部分を有する靴下１をユーザが履くと、靴下１には、引っ張り応力が生ずる。ここで、引っ張り応力とは、ユーザが靴下をはいたときの伸長に対する構成部分の抵抗力である。図２および図３を参照して、靴下１に生ずる引っ張り応力を説明する。
【００２７】
図２は、本発明の一実施形態の靴下１におけるＸ字型サポート部２４の引っ張り応力を説明するための図である。図２（ａ）は、ユーザが右足に履いた靴下１を内側から見た状態を示す図であり、図２（ｂ）は、ユーザが右足に履いた靴下１を下側から見た状態を示す図である。Ｘ字型サポート部２４には、高弾性材が使用されているので、ユーザが靴下１を履いても図２に示す矢印１１０〜１４０の方向にＸ字型サポート部２４はあまり伸びない。このため、図２に示す矢印１１０〜１４０の方向に伸びようとする力に抵抗して２方向の引っ張り応力が生ずる。この引っ張り応力は、足の内側縦アーチ構造Ｒ１および外側縦アーチ構造Ｒ２（図７参照）の機能が低下する方向に対して抵抗する方向に働くので、足の骨格のアーチ構造の機能が低下することを抑制できる。とくにＸ字型サポート部２４は、踵後ろ部５４で踵の後部分に保持されているので、踵部４０が伸びて、Ｘ字型サポート部２４の踵の内側部分および踵の内側部分が前方に移動して、Ｘ字型サポート部２４の引っ張り応力が弱まることはない。
【００２８】
図３は、本発明の一実施形態の靴下１における第１固定部３４、第２固定部３８、第３固定部５２および踵後ろ部５４の引っ張り応力を説明するための図であり、ユーザが右足に履いた靴下１を内側から見た状態を示す図である。第１固定部３４には、高弾性材が使用されているので、矢印２１０の方向に第１固定部３４が伸びようとする力に抵抗して引っ張り応力が生ずる。この引っ張り応力により、足の横アーチ構造Ｒ３（図７参照）の機能が低下する方向に対して抵抗する方向の応力に生ずるので、足の骨格のアーチ構造の機能が低下するのを抑制することができる。また、第１固定部３４の引っ張り応力により、Ｘ字型サポート部２４の親指のつけ根部分および小指のつけ根部分が足に固定されるので、Ｘ字型サポート部２４の親指のつけ根部分および小指のつけ根部分が後方にずれてＸ字型サポート部２４の引っ張り応力が弱まることを抑制できる。
【００２９】
第２固定部３８には、高弾性材が使用されるので、図３に示す矢印２２０の方向に第２固定部３８が伸びようとする力に抵抗して引っ張り応力が生ずる。これにより、第２固定部３８で足が締め付けられ、Ｘ字型サポート部２４の踵部４０側が足に固定される。
【００３０】
第３固定部５２および踵後ろ部５４には、高弾性材が使用されるので、図３に示す矢印２３０の方向に第３固定部５２および踵後ろ部５４が伸びようとする力に抵抗して引っ張り応力が生ずる。これにより、第３固定部５２および踵後ろ部５４で足首が締め付けられ、Ｘ字型サポート部２４の踵部４０側が足に固定される。
【００３１】
踵後ろ部５４が図３に示す矢印２４０の方向にずれ落ちると、Ｘ字型サポート部２４がゆるみ、Ｘ字型サポート部２４の引っ張り応力が弱くなる。とくに、足首５０の口ゴム部５６は伸縮性が高いので、踵後ろ部５４が図３に示す矢印２４０の方向にずれ落ちてしまう可能性がある。しかし、第３固定部５２の引っ張り応力により、それを防止することができる。また、第３固定部５２がない場合であっても、第２固定部３８の引っ張り応力によってもそれを防止することができる。
【００３２】
第１固定部３４、第２固定部３８、第３固定部５２および踵後ろ部５４の弾性率は、Ｘ字型サポート部２４の弾性率と同じであってもよいし、異なっていてもよい。
【００３３】
上述したように、前方三角領域部２２の弾性率は、第１固定部３４の弾性率よりも小さい。このために、前方三角領域部２２は、図４の矢印３１０の方向に広がることにより、親指のつけ根部分と小指のつけ根部分を通る靴下の外周部分を全て第１固定部３４で形成した場合に比べて、親指のつけ根と小指のつけ根を通る足の外周部分における靴下１の締め付けを弱くすることができる。これにより、親指のつけ根と小指のつけ根を通る足の外周部分がきつくなりすぎることがなくなり、足の血流が悪くなるのを抑制できる。なお、親指のつけ根と小指のつけ根を通る足の外周部分がきつくなりすぎなければ、前方三角領域部３４の弾性率を、Ｘ字型サポート部２４および／または第１固定部３４の弾性率と同じにしてもよいし、高くしてもよい。
【００３４】
後方三角領域部２６の弾性率は、第２固定部３８の弾性率よりも小さい。このために、後方三角領域部２６は、図４の矢印３２０に示すように足の踵の形状に合わせて足の幅方向に広がることができる。これにより、Ｘ字型サポート部２４を足の土踏まずにフィットさせることができ、心地よい着用感が得られる。
【００３５】
次に、靴下１の各構成部分の摩擦係数について説明する。上述したように、前方三角領域部２２、Ｘ字型サポート部２４の前方側部分の少なくとも一部（たとえば、Ｘ字型サポート部構成要素２４ａおよび２４ｂの前方側の一部）および第１固定部３４からなる摩擦係数が高い領域６０の摩擦係数と、Ｘ字型サポート部２４の後方側部分の少なくとも一部（たとえば、Ｘ字型サポート部構成要素２４ａおよび２４ｂの後方側の一部）、後方三角領域部２６および第２固定部３８からなる摩擦係数が高い領域７０の摩擦係数とは、他の領域の摩擦係数に比べて高い。これにより、Ｘ字型サポート部２４の前方側および下方側が足に、より確実に固定されるので、Ｘ字型サポート部２４がゆるむことによってＸ字型サポート部２４の引っ張り応力が弱くなることをさらに抑制できる。また、これにより、着用者の足が、着用者の履いている靴の中で動くことを抑制できるので、着用者は、俊敏に動くことができる。さらに、着用者の足が、着用者の履いている靴の中で動くことによって着用者の瞬発力が吸収されることを抑制できるので、着用者の瞬発力を高めることができる。
【００３６】
なお、第１固定部３４および第２固定部３８の摩擦係数を、他の構成要素の摩擦係数に比べて高くしてもよい。また、Ｘ字型サポート部２４の前方側部分の一部およびＸ字型サポート部２４の後方側部分の一部の摩擦係数を他の部分に比べて高くしてもよい。さらに、Ｘ字型サポート部２４の前方側部分の一部および第１固定部３４からなる領域と、Ｘ字型サポート部２４の後方側部分の一部および第２固定部３８からなる領域との摩擦係数を他の領域の摩擦係数よりも高くするようにしてもよい。この場合も、Ｘ字型サポート部２４の前方側および下方側が足に、より確実に固定されるので、Ｘ字型サポート部２４がゆるむことによってＸ字型サポート部２４の引っ張り応力が弱くなることを抑制できる。しかし、前方三角領域部２２、Ｘ字型サポート部２４の前方側部分の少なくとも一部および第１固定部３４からなる摩擦係数が高い領域６０の摩擦係数と、Ｘ字型サポート部２４の後方側部分の少なくとも一部、後方三角領域部２６および第２固定部３８からなる摩擦係数が高い領域７０の摩擦係数とを、他の領域の摩擦係数に比べて高くすることによって、Ｘ字型サポート部２４がゆるむことによりＸ字型サポート部２４の引っ張り応力が弱くなることをさらに抑制できる。
【００３７】
たとえば、靴下１の摩擦係数が高い領域６０，７０を編み上げるとき、靴下１の摩擦係数が高い領域６０，７０を構成する糸に、ウレタン糸およびゴム糸などの摩擦係数の高い糸を混ぜることによって靴下１の摩擦係数が高い領域６０，７０の摩擦を高くするようにしてもよい。これにより、靴下の表側および裏側の両方の摩擦係数を容易に高くすることができる。また、前方三角領域部２２、Ｘ字型サポート部２４の前方側部分の少なくとも一部、第１固定部３４、Ｘ字型サポート部２４の後方側部分の少なくとも一部、後方三角領域部２６および第２固定部３８の弾性率を調節しながら摩擦係数を高くすることができる。
【００３８】
また、摩擦係数の高い糸、たとえばウレタンを細いナイロンでカバーリングした糸で、靴下１の摩擦係数が高い領域６０，７０を構成するようにしてもよい。この場合も靴下の表側および裏側の両方の摩擦係数を容易に高くすることができる。すなわち、摩擦係数が高い領域６０，７０を構成する糸は、摩擦係数の高い糸を含むようにしてもよい。好ましい摩擦係数の高い糸はウレタン糸である。
【００３９】
ここで、摩擦係数の高い糸とは、天然繊維（シルク、ウールおよび綿）の糸、再生セルロース系繊維（レーヨン）の糸および合成繊維（エステル、ナイロン、ポリエチレン、ポリプロピレンおよびポリ塩化ビニル）の糸に比べて摩擦係数が高い繊維である。さらに、靴下１の摩擦係数が高い領域６０，７０における内側および外側の表面に、ゴムなどの摩擦係数が高く伸縮性を有する物質を塗布することによって靴下１の領域６０，７０の摩擦を高くするようにしてもよい。
【００４０】
以上の一実施形態による靴下１は、次のような作用効果を奏する。
靴下１は、つま先部１０と、足底２０部と、足甲部３０と、踵部４０と、足首部５０とを備え、足底部２０がＸ字型サポート部２４と、つま先部１０およびＸ字型サポート部２４で囲まれた前方三角領域部２２と、Ｘ字型サポート部２２および踵部４０で囲まれた後方三角領域部２６とを有し、足甲部２０がＸ字型サポート部２４のつま先部側を固定する第１固定部３４をつま先部側に有し、足甲部３０がＸ字型サポート部２４の踵部側を固定する第２固定部３８を足首部側に有し、および／または足首部５０がＸ字型サポート部２４の踵部側を固定する第３固定部５２を足甲部側に有し、Ｘ字型サポート部２４、第１固定部３４、第２固定部３８および第３固定部５２が高弾性材から構成され、前方三角領域部２２、Ｘ字型サポート部２４の前方側部分の少なくとも一部および第１固定部３４からなる摩擦係数が高い領域６０の摩擦係数と、Ｘ字型サポート部２４の後方側部分の少なくとも一部、後方三角領域部２６および第２固定部３８からなる摩擦係数が高い領域７０の摩擦係数とは、他の領域の摩擦係数に比べて高くなるようにした。これにより内側縦アーチ構造Ｒ１および外側縦アーチ構造Ｒ２のそれぞれに向けて引っ張り応力を確実に作用させることができ、長時間、歩いたり走ったりすることによる足の骨格のアーチ構造の機能の低下をより確実に抑制できる靴下に滑り止め効果を持たせることができる。また、着用者の移動の俊敏性を高めることができ、着用者の瞬発力を高めることができる。
【００４１】
摩擦係数が高い領域６０，７０を構成する糸は、摩擦係数の高い糸を含むようにした。これにより、靴下１の表側および裏側の両方の摩擦係数を容易に高くすることができる。また、靴下１における構成部分のそれぞれの弾性率を調節しながら摩擦係数を高くすることができる。
【００４２】
摩擦係数の高い糸は、ウレタン糸であるようにした。これにより、低コストで、下１における構成部分のそれぞれの摩擦係数を高くすることができる。
【００４３】
Ｘ字型サポート部２４が、足の親指のつけ根に対応する位置から踵の外側に対応する位置に延びるＸ字型サポート部構成要素２４ａおよび足の小指のつけ根に対応する位置から踵の内側部分に対応する位置に延びるＸ字型サポート部構成要素２４ｂを有し、第１固定部３４が、足甲部の足の親指のつけ根に対応する位置から小指のつけ根に対応する位置に延びる部分に配置され、第２固定部３８が、足甲部３０の足首部５０に近接する足の甲の後部を覆う領域に配置され、第３固定部５２および踵後ろ部５４が、足首部５０の外周の足甲部３０側に配置されるようにした。これにより内側縦アーチ構造Ｒ１および外側縦アーチ構造Ｒ２のそれぞれに向けて引っ張り応力を作用させることができ、長時間、歩いたり走ったりすることによる足の骨格のアーチ構造の機能の低下をより確実に抑制することができる。
【００４４】
前方三角領域部２２の弾性率が、Ｘ字型サポート部２４および第１固定部３４の弾性率よりも低くするようにした。これにより、親指のつけ根と小指のつけ根を通る足の外周部分がきつくなって、足の血流が悪くなるのを抑制することができる。
【００４５】
後方三角領域部２６の弾性率が、Ｘ字型サポート部２４および第２固定部３８の弾性率よりも低くするようにした。これにより、Ｘ字型サポート部２４を足の土踏まずにフィットさせることができ、心地よい着用感が得られる。
【００４６】
以上の説明はあくまで一例であり、本発明は上記実施形態の構成になんら限定されるものではない。
【実施例】
【００４７】
本発明の一実施形態における靴下１および従来の靴下を着用した被験者に下記のスポーツテストを実施してもらい、本発明の一実施形態における靴下１の着用者の運動能力に対する効果を調べた。ここで、従来の靴下は、本発明の一実施形態における靴下１からＸ字型サポート部２４、前方三角領域部２２、後方三角領域部２６、第１固定部３４、第２固定部３８および第３固定部５２を除いたものである。
【００４８】
（被験者）
バスケットボール部に所属する１４名の女子の大学生に、バスケットシューズを履くときに、本発明の一実施形態における靴下１および従来の靴下を着用してもらい、以下のスポーツテストを実施してもらった。年齢の平均値は１９．７歳（標準偏差：１．３）であり、身長の平均値は１６６．８ｃｍ（標準偏差：８．１）であり、体重の平均値は６１．５ｋｇ（標準偏差：５．８）であった。
【００４９】
（試験方法）
従来の靴下を被験者に着用してもらい、スポーツテストを実施した（Ｎｏｒ：１）。次に、被験者に対して従来の靴下から本発明の一実施形態における靴下１に履き替えてもらい、同じスポーツテストを実施した（Ｔｅｓｔ：１）。被験者に対して、本発明の一実施形態における靴下１から従来の靴下に履き替えてもらい、同じスポーツテストをさらに実施した（Ｎｏｒ：２）。次に、被験者に対して従来の靴下から本発明の一実施形態における靴下１に履き替えてもらい、同じスポーツテストをさらに実施した（Ｔｅｓｔ：２）。
【００５０】
（スポーツテスト）
被験者が実施したスポーツテストは、反復横跳び、フットワークテスト、サークルドリブルおよび垂直跳びである。反復横跳びは、１ｍ間隔の３本の線を２０秒間にまたいだ回数を測定するスポーツテストである。フットワークテストは、図５に示す動きを完了するまでに要する時間を測定するスポーツテストである。図５はフットワークテストを説明するために図である。図５に示すように５つのコーンを配置し、番号１〜番号９の順序でコーン間を移動する。このとき、符号１および９では、前方へのダッシュで、符号２〜符号７では、クロスステップで、符号８では、後ろ向きの駆け足で、それぞれ移動する。サークルドリブルは、バスケットボールのドリブルをしながらフリースローレーンに沿ってフリースローサークルを周り、次にセンターサークルを周り、最後に反対側のフリースローサークルを回って（全部で５つのサークルを回って）、最後にゴールにシュートするまでに要した時間を測定するスポーツテストである。垂直跳びは、直立姿勢から助走せずにその場で両足の力で垂直にジャンプしたときのジャンプの高さを測定するスポーツテストである。
【００５１】
（結果）
スポーツテストの結果を図６に示す。スポーツテストの結果は、１４名の被験者におけるスポーツテストの結果の平均値である。図６（ａ）は反復横跳びの結果であり、縦軸は回数を示し、図６（ｂ）はフットワークテストの結果であり、縦軸の単位は秒であり、図６（ｃ）はサークルドリブルの結果であり、縦軸の単位は秒であり、図６（ｄ）は垂直跳びの結果であり、縦軸の単位はセンチメートルである。これを見ると、すべてのスポーツテストにおいて、従来の靴下から本発明の一実施形態における靴下１に履き替えると、スポーツテストの成績が向上することがわかった。これにより、本発明の一実施形態における靴下１は、低下した足の骨格のアーチ構造の機能の改善した靴下に滑り止め効果を持たせ、着用者の俊敏性を高め、着用者の瞬発力を高めることがわかった。
【符号の説明】
【００５２】
１    靴下
１０    つま先部
２０    足底部
２２    前方三角領域部
２４    Ｘ字型サポート部
２６    後方三角領域部
３０    足甲部
３４    第１固定部
３６    メッシュ部
３８    第２固定部
４０    踵部
５０    足首部
５２    第３固定部
５４    踵後ろ部
５６    口ゴム部
６０，７０    摩擦係数が高い領域
【図１】
2014019994.tif 000003
【図２】
2014019994.tif 000004
【図３】
2014019994.tif 000005
【図４】
2014019994.tif 000006
【図５】
2014019994.tif 000007
【図６】
2014019994.tif 000008
【図７】
2014019994.tif 000009